(57)【要約】本開示は、情報処理方法、基地局、および端末を提供する。基地局に適用される方法は、各端末によって送信されたランダムアクセス要求を受信すること、ランダムアクセス要求に応答して、各端末のリピートランクを決定すること、リピートランクに基づいて、ランダムアクセス応答データパケットを各端末に送信するための送信パラメータを決定すること、ランダムアクセス応答データパケットの送信パラメータに基づいて、ランダムアクセス応答データパケットを送信することを含む。
2017533658.tif 000002
【特許請求の範囲】
【請求項１】
情報処理方法であって、
端末によって送信されたランダムアクセス要求を受信すること、
前記端末に関連するリピートランクに基づいて、ランダムアクセス応答データパケットを前記端末に送信するための送信パラメータを取得すること、
ランダムアクセス応答データパケットの送信パラメータに基づいて、ランダムアクセス応答データパケットを送信すること、を備える情報処理方法。
【請求項２】
前記端末に関連するリピートランクに基づいて、ランダムアクセス応答データパケットを前記端末に送信するための送信パラメータを取得することは、
前記リピートランクに基づいて、前記端末のランダムアクセス無線ネットワークの一時的な識別子を取得することであって、異なるリピートランクは、異なるランダムアクセス無線ネットワークの一時的な識別子に対応する、前記端末のランダムアクセス無線ネットワークの一時的な識別子を取得すること、
ランダムアクセス無線ネットワークの一時的な識別子に基づいて、同じランダムアクセス応答データパケットにおける多重化端末数と、ランダムアクセス応答データパケットのパケット長とを取得すること、を含む、請求項１に記載の情報処理方法。
【請求項３】
前記リピートランクに基づいて、端末のランダムアクセス無線ネットワークの一時的な識別子を取得することは、
前記端末によって送信されて受信されたランダムアクセス要求の時間・周波数リソース位置を取得すること、
時間・周波数リソース位置およびリピートランクに基づいて、各端末のランダムアクセス無線ネットワークの一時的な識別子を決定すること、を含み、
異なる時間・周波数リソース位置または異なるリピートランクは、異なるランダムアクセス無線ネットワークの一時的な識別子に対応する、請求項２に記載の情報処理方法。
【請求項４】
ランダムアクセス無線ネットワークの一時的な識別子に基づいて、同一のランダムアクセスリセス応答データパケットにおける多重化端末数と、ランダムアクセス応答データパケットのパケット長とを取得することは、
ランダムアクセス無線ネットワークの一時的な識別子に基づいて、同一のランダムアクセス無線ネットワークの一時的な識別子を有する複数の端末の端末数Ｓを決定することであって、前記同一のランダムアクセス無線ネットワークの一時的な識別子を有する複数の端末は、同一のランダムアクセス応答データパケットにおいて多重化される、前記端末数Ｓを決定すること、
端末数Ｓに基づいて、ランダムアクセス応答データパケットのパケット長を決定すること、を含む、請求項２に記載の情報処理方法。
【請求項５】
端末数Ｓに基づいて、前記ランダムアクセス応答データパケットのパケット長を決定することは、
端末数Ｓと多重化端末数の有限集合Ｔ内の多重化端末数とを比較して比較結果を生成すること、
前記比較結果に基づいて、前記ランダムアクセス応答のパケット長である、多重化端末数Ｍに対応するパケット長を選択することを含み、
Ｍは、Ｔ以内のＳ以上であり且つ最小の差を有する多重化端末数である、請求項４に記載の情報処理方法。
【請求項６】
ＳがＭより小さい場合、ランダムアクセス応答データパケットのＳ＋１番目からＭ番目のランダムアクセス応答に指定情報を書き込むことを備える請求項５に記載の情報処理方法。
【請求項７】
各端末のリピートランクを決定することは、
前記ランダムアクセス要求の送信パラメータおよび前記ランダムアクセス要求に含まれるランダムアクセス情報のうちの少なくとも１つに基づいて、各端末のリピートランクを決定することを含む、請求項１に記載の情報処理方法。
【請求項８】
情報処理方法であって、
ランダムアクセス要求を基地局に送信すること、
リピートランクで構成されたデスクランブリングシーケンスに基づいて、前記基地局によって送信されたランダムアクセス応答データパケットのランダムアクセス応答を取得すること、を備え、
前記ランダムアクセス応答データパケットは、少なくとも１つのランダムアクセス応答を含む、情報処理方法。
【請求項９】
リピートランクで構成されたデスクランブリングシーケンスに基づいて、前記基地局によって送信されたランダムアクセス応答データパケットのランダムアクセス応答を取得することは、
リピートランクに基づいて、第１の端末のランダムアクセス無線ネットワークの一時的な識別子を取得すること、
ランダムアクセス無線ネットワークの一時的な識別子に基づいて、デスクランブリングシーケンスを生成すること、を含む、請求項８に記載の情報処理方法。
【請求項１０】
リピートランクに基づいて、前記第１の端末のランダムアクセス無線ネットワークの一時的な識別子を取得することは、
前記ランダムアクセス要求が送信される時間・周波数リソース位置を取得すること、
時間・周波数リソース位置およびリピートランクに基づいて、各端末のランダムアクセス無線ネットワークの一時的な識別子を決定することを含み、
異なる時間・周波数リソース位置または異なるリピートランクは、異なるランダムアクセス無線ネットワークの一時的な識別子に対応する、請求項９に記載の情報処理方法。
【請求項１１】
デスクランブリングシーケンスに基づいて、ランダムアクセス要求に基づく前記基地局によって送信されたランダムアクセス応答データパケットのランダムアクセス応答を取得することは、
デスクランブリングシーケンスに基づいて、下りリンク制御情報をデスクランブルすること、
下りリンク制御情報に基づいて、前記基地局によって送信されたランダムアクセス応答データパケットの受信パラメータを取得することであって、時間・周波数リソース及び変調符号化ストラテジのうちの少なくとも１つを含む前記受信パラメータを取得すること、
前記受信パラメータに基づいて、ランダムアクセス応答データパケットを受信し、ランダムアクセス応答データパケットに含まれるランダムアクセス応答を取得すること、を含む、請求項８に記載の情報処理方法。
【請求項１２】
前記下りリンク制御情報は、前記ランダムアクセス応答データパケットの多重化端末数をさらに含み、
前記ランダムアクセス応答データパケットに含まれるランダムアクセス応答を取得することは、
ランダムアクセス応答データパケットの多重化端末数に基づいて、ランダムアクセス応答データパケットを復号化し、ランダムアクセス応答を取得すること、を含む、請求項１１に記載の情報処理方法。
【請求項１３】
前記デスクランブリングシーケンスに基づいて、前記ランダムアクセス要求に基づく前記基地局によって送信されたランダムアクセス応答データパケット内のランダムアクセス応答を取得することは、
多重化端末数の有限集合Ｔ内の各多重化端末数に対するパケット長およびデスクランブリングシーケンスに基づいて復号化し、ランダムアクセス応答データパケットを受け取ること、
正確に復号化された場合、前記基地局によって送信されたランダムアクセス応答データパケットに含まれるランダムアクセス応答を取得すること、を含む、請求項８に記載の情報処理方法。
【請求項１４】
第１の端末のリピートランクを決定することは、
チャネル測定を実行してチャネル測定結果を生成すること、
前記チャネル測定結果に基づいて、リピートランクを決定すること、を含む、請求項８に記載の情報処理方法。
【請求項１５】
第１の端末によって、ランダムアクセス要求を基地局に送信することは、
リピートランクに基づいて、ランダムアクセス要求の送信パラメータおよびランダムアクセス情報のうちの少なくとも１つを決定することを含む、請求項８に記載の情報処理方法。
【請求項１６】
基地局であって、
端末から送信されたランダムアクセス要求を受信する第１の受信部と、
前記端末に関連するリピートランクに基づいて、ランダムアクセス応答データパケットを前記端末に送信するための送信パラメータを取得する取得決定部と、
前記ランダムアクセス応答データパケットの送信パラメータに基づいて、前記ランダムアクセス応答データパケットを送信する第１の送信部と、を備える基地局。
【請求項１７】
第２の取得部は、
前記リピートランクに基づいて、各端末のランダムアクセス無線ネットワークの一時的な識別子を決定する第１の取得モジュールであって、異なるリピートランクは、異なるランダムアクセス無線ネットワークの一時的な識別子に対応する、前記第１の取得モジュールと、
ランダムアクセス無線ネットワークの一時的な識別子に基づいて、同じランダムアクセスリセス応答データパケットにおける多重化端末数およびランダムアクセス応答データパケットのパケット長を決定する第２の取得モジュールと、を含む、請求項１６に記載の基地局。
【請求項１８】
前記第１の取得モジュールは、特に、端末によって送信されて受信されたランダムアクセス要求の時間・周波数リソース位置を取得し、前記時間・周波数リソース位置およびリピートランクに基づいて、前記端末のランダムアクセス無線ネットワークの一時的な識別子を決定し、
異なる時間・周波数リソース位置または異なるリピートランクは、異なるランダムアクセス無線ネットワークの一時的な識別子に対応する、請求項１７に記載の基地局。
【請求項１９】
前記第２の取得モジュールは、特に、ランダムアクセス無線ネットワークの一時的な識別子に基づいて、同じランダムアクセス無線ネットワークの一時的な識別子を有する端末の端末数Ｓを決定し、端末数Ｓに基づいて、ランダムアクセス応答データパケットのパケット長を決定し、
同じランダムアクセス無線ネットワークの一時的な識別子を有する複数の端末が、同じランダムアクセス応答データパケットにおいて多重化される、請求項１７に記載の基地局。
【請求項２０】
第２の決定モジュールは、特に、端末数Ｓと、多重端末数の有限集合Ｔ内の多重端末数とを比較して比較結果を生成し、比較結果に基づいて、前記ランダムアクセス応答のパケット長である、多重化端末数Ｍに対応するパケット長を選択し、
Ｍは、Ｔ以内のＳ以上であり且つ最小の差を有する多重化端末数である、請求項１９に記載の基地局。
【発明の詳細な説明】
【技術分野】
【０００１】
本開示は、通信の分野に関し、特に、情報処理方法、基地局、および端末に関する。
【背景技術】
【０００２】
移動通信技術では、データ通信を行う前に、端末はランダムアクセスプロセスで基地局に接続し、関連する通信リソースが割り当てられるのを待つ必要がある。ランダムアクセス要求を受信した基地局は、接続をセットアップするためのリソースを示すために端末に応答を送信する。
【０００３】
通信技術と電子技術の発達により、通信能力を有する端末の種類が豊富になり、具体的には、通常の普通のユーザ端末の他に、マシンタイプコミュニケーション（Machine Type Communication : MTC）端末が存在する。さらに、無線通信環境もますます複雑になり、信号が基地局によってセルの異なる位置で、または異なるアプリケーションシナリオで送信されるとき、異なる端末の信号受信効率をもたらす。
【０００４】
ランダムアクセス応答のコストを低減するために、複数の端末が、同じランダムアクセス応答データパケットにおいて多重化されてランダムアクセス応答を送信するが、以下の2つの状況が起こりうる。
【０００５】
第1に、通常端末とMTC端末は、同一のランダムアクセス応答データパケットにおいて多重化され、通常の端末は、より良い受信効率を有し、通常、ランダムアクセス応答データパケットを1回の受信で正確に復号化することができるが、MTC端末は、データパケットを複数回送信することによって受信し、マージし（merge）、正確に復号化する必要がある。しかし、基地局は、各端末がランダムアクセス応答を正確に受信できることを確実にするためにデータパケットを繰り返し送信する必要があり、結果、通常端末が、リソースの浪費を引き起こすデータパケットを繰り返し受信して復号化するか、またはMTC端末が正確に受信して復号化することができない。
【０００６】
第2に、セル内の異なる通信シナリオにおける端末の受信効率が一貫しておらず、たいてい、通常端末とMTC端末が同じランダムアクセス応答データパケットに対して異なる受信結果を有するか、または基地局が複数回送信する必要があるか、もしくはいくつかの端末が正確に受信して復号化することができない。具体的には、例えば、セルの異なる位置にある端末は、基地局によって送信された信号に対して一貫性のない受信効率を有する。
【発明の概要】
【課題を解決するための手段】
【０００７】
本開示の複数の実施形態は、情報処理方法、基地局、および端末を提供する。
本開示の技術的な解決策は以下のように具体化される。
本開示の第１の側面は、基地局に適用される情報処理方法を提供し、該情報処理方法は、
端末によって送信されたランダムアクセス要求を受信すること、
端末に関連するリピートランクに基づいて、ランダムアクセス応答データパケットを端末に送信するための送信パラメータを取得すること、
ランダムアクセス応答データパケットの送信パラメータに基づいて、ランダムアクセス応答データパケットを送信することを備える。
【０００８】
任意選択では、リピートランクに基づいて、ランダムアクセス応答データパケットを各端末に送信するための送信パラメータを取得することは、
リピートランクに基づいて、端末のランダムアクセス無線ネットワークの一時的な識別子を決定することであって、異なるリピートランクは、異なるランダムアクセス無線ネットワークの一時的な識別子に対応する、端末のランダムアクセス無線ネットワークの一時的な識別子を決定すること、
ランダムアクセス無線ネットワークの一時的な識別子に基づいて、同じアクセスリセス応答データパケットにおける多重化端末数と、ランダムアクセス応答データパケットのパケット長とを決定すること、を含む。
【０００９】
任意選択では、リピートランクに基づいて、各端末のランダムアクセス無線ネットワークの一時的な識別子を決定することは、
各端末によって送信されて受信されたランダムアクセス要求の時間・周波数リソース位置を決定すること、
時間・周波数リソース位置およびリピートランクに基づいて、各端末のランダムアクセス無線ネットワークの一時的な識別子を決定すること、を含み、
異なる時間・周波数リソース位置または異なるリピートランクは、異なるランダムアクセス無線ネットワークの一時的な識別子に対応する。
【００１０】
任意選択では、ランダムアクセス無線ネットワークの一時的な識別子に基づいて、同一のアクセスリセス応答データパケットにおける多重化端末数と、ランダムアクセス応答データパケットのパケット長とを決定することは、
ランダムアクセス無線ネットワークの一時的な識別子に基づいて、同一のランダムアクセス無線ネットワークの一時的な識別子を有する複数の端末の端末数Ｓを決定することであって、同一のランダムアクセス無線ネットワークの一時的な識別子を有する複数の端末は、同一のランダムアクセス応答データパケットにおいて多重化される、端末数Ｓを決定すること、
端末数Ｓに基づいて、ランダムアクセス応答データパケットのパケット長を決定すること、を含む。
【００１１】
任意選択では、端末数Ｓに基づいて、ランダムアクセス応答データパケットのパケット長を決定することは、
端末数Ｓと多重化端末数の有限集合Ｔ内の多重化端末数とを比較して比較結果を生成すること、
比較結果に基づいて、ランダムアクセス応答データパケットのパケット長である、多重化端末数Ｍに対応するパケット長を選択することを含み、
Ｍは、Ｔ以内のＳ以上であり且つ最小の差を有する多重化端末数である。
【００１２】
任意選択では、情報処理方法は、ＳがＭより小さい場合、ランダムアクセス応答データパケットのＳ＋１番目からＭ番目のランダムアクセス応答に指定情報を書き込むことをさらに備える。
【００１３】
任意選択では、各端末のリピートランクを決定することは、
ランダムアクセス要求の送信パラメータおよびランダムアクセス要求に含まれるランダムアクセス情報のうちの少なくとも１つに基づいて、各端末のリピートランクを決定することを含む。
【００１４】
本開示の第２の側面は、第１の端末に適用される情報処理方法を提供し、該情報処理方法は、
第１の端末が、ランダムアクセス要求を基地局に送信すること、
第１の端末のリピートランクを決定すること、
リピートランクに基づいて、デスクランブリングシーケンスを生成すること、
デスクランブリングシーケンスに基づいて、ランダムアクセス要求に基づく基地局によって送信されたランダムアクセス応答データパケットのランダムアクセス応答を取得すること、を備え、
ランダムアクセス応答データパケットは、少なくとも１つのランダムアクセス応答を含む。
【００１５】
任意選択では、リピートランクに基づいて、デスクランブリングシーケンスを生成することは、
リピートランクに基づいて、第１の端末のランダムアクセス無線ネットワークの一時的な識別子を決定すること、
ランダムアクセス無線ネットワークの一時的な識別子に基づいて、デスクランブリングシーケンスを生成すること、を含む。
【００１６】
任意選択では、リピートランクに基づいて、第１の端末のランダムアクセス無線ネットワークの一時的な識別子を決定することは、
ランダムアクセス要求が送信される時間・周波数リソース位置を決定すること、
時間・周波数リソース位置およびリピートランクに基づいて、各端末のランダムアクセス無線ネットワークの一時的な識別子を決定することを含み、
異なる時間・周波数リソース位置または異なるリピートランクは、異なるランダムアクセス無線ネットワークの一時的な識別子に対応する。
【００１７】
任意選択では、デスクランブリングシーケンスに基づいて、ランダムアクセス要求に基づく基地局によって送信されたランダムアクセス応答データパケットのランダムアクセス応答を取得することは、
デスクランブリングシーケンスに基づいて、下りリンク制御情報をデスクランブルすること、
下りリンク制御情報に基づいて、基地局によって送信されたランダムアクセス応答データパケットの受信パラメータを取得することであって、時間・周波数リソース及び変調符号化ストラテジのうちの少なくとも１つを含む受信パラメータを取得すること、
受信パラメータに基づいて、ランダムアクセス応答データパケットを受信し、ランダムアクセス応答データパケットに含まれるランダムアクセス応答を取得すること、を含む。
【００１８】
任意選択では、下りリンク制御情報は、ランダムアクセス応答データパケットの多重化端末数をさらに含み、
ランダムアクセス応答データパケットに含まれるランダムアクセス応答を取得することは、
ランダムアクセス応答データパケットの多重化端末数に基づいて、ランダムアクセス応答データパケットを復号化し、ランダムアクセス応答を取得すること、を含む。
【００１９】
任意選択では、デスクランブリングシーケンスに基づいて、ランダムアクセス要求に基づく基地局によって送信されたランダムアクセス応答データパケット内のランダムアクセス応答を取得することは、
多重化端末数の有限集合Ｔ内の各多重化端末数に対するパケット長およびデスクランブリングシーケンスに基づいて復号化し、ランダムアクセス応答データパケットを受け取ること、
正確に復号化された場合、基地局によって送信されたランダムアクセス応答データパケットに含まれるランダムアクセス応答を取得すること、を含む。
【００２０】
任意選択では、第１の端末のリピートランクを決定することは、
チャネル測定を実行してチャネル測定結果を生成すること、
チャネル測定結果に基づいて、リピートランクを決定すること、を含む。
【００２１】
任意選択では、第１の端末によって、ランダムアクセス要求を基地局に送信することは、
リピートランクに基づいて、ランダムアクセス要求の送信パラメータおよびランダムアクセス情報のうちの少なくとも１つを決定することを含む。
【００２２】
本開示の第３の側面は、基地局を提供し、該基地局は、
各端末から送信されたランダムアクセス要求を受信する第１の受信部と、
各端末のリピートランクを決定する第１の決定部と、
ランダムアクセス要求に応答して、リピートランクに基づいて、ランダムアクセス応答データパケットを各端末に送信するための送信パラメータを決定する第２の決定部と、
ランダムアクセス応答データパケットの送信パラメータに基づいて、ランダムアクセス応答データパケットを送信する第１の送信部と、を備える。
【００２３】
任意選択では、第２の決定部は、
リピートランクに基づいて、各端末のランダムアクセス無線ネットワークの一時的な識別子を決定する第１の決定モジュールであって、異なるリピートランクは、異なるランダムアクセス無線ネットワークの一時的な識別子に対応する、第１の決定モジュールと、
ランダムアクセス無線ネットワークの一時的な識別子に基づいて、同じアクセスリセス応答データパケットにおける多重化端末数およびランダムアクセス応答データパケットのパケット長を決定する第２の決定モジュールと、を含む。
【００２４】
任意選択では、第１の決定モジュールは、特に、各端末によって送信されて受信されたランダムアクセス要求の時間・周波数リソース位置を決定し、時間・周波数リソース位置およびリピートランクに基づいて、各端末のランダムアクセス無線ネットワークの一時的な識別子を決定し、
異なる時間・周波数リソース位置または異なるリピートランクは、異なるランダムアクセス無線ネットワークの一時的な識別子に対応する。
【００２５】
任意選択では、第２の決定モジュールは、特に、ランダムアクセス無線ネットワークの一時的な識別子に基づいて、同じランダムアクセス無線ネットワークの一時的な識別子を有する端末の端末数Ｓを決定し、端末数Ｓに基づいて、ランダムアクセス応答データパケットのパケット長を決定し、
同じランダムアクセス無線ネットワークの一時的な識別子を有する複数の端末が、同じランダムアクセス応答データパケットにおいて多重化される。
【００２６】
第２の決定モジュールは、特に、端末数Ｓと、多重端末数の有限集合Ｔ内の多重端末数とを比較して比較結果を生成し、比較結果に基づいて、ランダムアクセス応答データパケットのパケット長である、多重化端末数Ｍに対応するパケット長を選択し、
Ｍは、Ｔ以内のＳ以上であり且つ最小の差を有する多重化端末数である。
【００２７】
任意選択では、ＳがＭより小さい場合、基地局は、ランダムアクセス応答データパケットのＳ＋１番目からＭ番目のランダムアクセス応答に指定情報を書き込む書き込みユニットをさらに備える。
【００２８】
任意選択では、第１の決定部は、特に、ランダムアクセス要求の送信パラメータおよびランダムアクセス要求に含まれるランダムアクセス情報のうちの少なくとも１つに基づいて、各端末のリピートランクを決定する。
【００２９】
本開示の第４の側面は、第１の端末である端末を提供し、該端末は、
ランダムアクセス要求を基地局に送信する第２の送信部と、
第１の端末のリピートランクを決定する第３の決定部と、
リピートランクに基づいて、デスクランブリングシーケンスを生成する生成部と、
デスクランブリングシーケンスに基づいて、ランダムアクセス要求に基づく基地局によって送信されたランダムアクセス応答データパケットのランダムアクセス応答を取得する取得部と、を備え、
ランダムアクセス応答データパケットは、少なくとも１つのランダムアクセス応答を含む。
【００３０】
任意選択では、生成部は、特に、リピートランクに基づいて、第１の端末のランダムアクセス無線ネットワークの一時的な識別子を取得し、ランダムアクセス無線ネットワークの一時的な識別子に基づいて、デスクランブリングシーケンスを生成する。
【００３１】
任意選択では、生成部は、特に、ランダムアクセス要求が送信される時間・周波数リソース位置を取得し、時間・周波数リソース位置およびリピートランクに基づいて、各端末のランダムアクセス無線ネットワークの一時的な識別子を決定し、異なる時間・周波数リソース位置または異なるリピートランクは、異なるランダムアクセス無線ネットワークの一時的な識別子に対応する。
【００３２】
任意選択では、取得部は、特に、デスクランブリングシーケンスに基づいて、下りリンク制御情報をデスクランブルし、下りリンク制御情報に基づいて、基地局によって送信されたランダムアクセス応答データパケットの受信パラメータを取得し、受信パラメータに基づいて、ランダムアクセス応答データパケットを受信し、ランダムアクセス応答データパケットに含まれるランダムアクセス応答を取得し、受信パラメータは、時間・周波数リソース及び変調符号化ストラテジのうちの少なくとも１つを含む。
【００３３】
任意選択では、下りリンク制御情報は、ランダムアクセス応答データパケットの多重化端末数をさらに含み、取得部は、特に、ランダムアクセス応答データパケットの多重化端末数に基づいて、ランダムアクセス応答データパケットを復号化し、ランダムアクセス応答を取得する。
【００３４】
任意選択では、取得部は、特に、多重化端末数の有限集合Ｔ内の各多重化端末数に対するパケット長およびデスクランブリングシーケンスに基づいて復号化し、ランダムアクセス応答データパケットを受け取り、正確に復号化された場合、基地局によって送信されたランダムアクセス応答データパケットに含まれるランダムアクセス応答を取得する。
【００３５】
任意選択では、第３の決定部は、特に、チャネル測定を実行してチャネル測定結果を生成し、チャネル測定結果に基づいて、リピートランクを決定する。
任意選択では、第２の送信部は、リピートランクに基づいて、ランダムアクセス要求の送信パラメータおよびランダムアクセス情報のうちの少なくとも１つを決定する。
【００３６】
本開示の複数の実施形態における情報処理方法、基地局、および端末は、ランダムアクセス応答データパケットを送信するための送信パラメータを決定するためにリピートランクを導入する。異なるタイプの端末または異なる適用シナリオにおける端末は、異なるリピートランクを有してもよく、この場合、リピートランクは、基地局によって送信される信号に関する端末の現在の受信能力を表し、同じ送信パラメータが、現在の受信能力が近い端末のランダムアクセス応答データパケットを送信するように採用されることにより、現在の受信能力が弱い端末と現在の受信能力が強い端末のランダムアクセス応答データパケットに起因して、現在の受信能力の強い端末が繰り返し受信する問題や、現在の受信能力の弱い端末の受信品質が劣化するという問題を回避することができる。したがって、現在の受信能力が強い端末の繰り返し受信によって消費される電力消費と、現在の受信能力が低下した端末に繰り返し送信することによって無駄にされる通信リソースとが低減され、且つ現在の受信能力が弱い端末の受信品質が相対的に高いレベルで維持される。
【図面の簡単な説明】
【００３７】
【図１】本開示の一実施形態に係る情報処理方法の第１の概略的なフローチャートである。
【図２】本開示の一実施形態に係る情報処理方法の第２の概略的なフローチャートである。
【図３】本開示の一実施形態によるランダムアクセス応答データパケットの構造的な概略図である。
【図４】本開示の一実施形態に係る情報処理方法の第３の概略的なフローチャートである。
【図５】本開示の一実施形態に係る情報処理方法の第４の概略的なフローチャートである。
【図６】本開示の一実施形態に係る情報処理方法の第５の概略的なフローチャートである。
【図７】本開示の一実施形態に係る基地局の構造的な概略図である。
【図８】本開示の一実施形態による第１の端末の構造的な概略図である。
【発明を実施するための形態】
【００３８】
以下、添付された図面を参照して、本発明の実施形態を詳細に説明する。
第１の方法の実施形態
図１に示すように、本実施形態は、基地局に適用される情報処理方法を提供し、該方法は、ステップＳ２１０〜ステップＳ２４０を備える。
【００３９】
ステップＳ２１０：各端末（terminal）によって送信されたランダムアクセス要求を受信する。
ステップＳ２２０：各端末のリピートランク（repeat rank）を決定する。
【００４０】
ステップＳ２３０：リピートランクに基づいて、ランダムアクセス応答データパケットの送信パラメータを決定する。
ステップＳ２４０：ランダムアクセス応答データパケットの送信パラメータに基づいて、ランダムアクセス応答データパケットを各端末に送信する。
【００４１】
ランダムアクセス要求は、通常、基地局へのランダムアクセスを要求するための端末に対するランダムアクセスシーケンスを搬送し、これにより、通信が行われる。
この実施形態では、端末のリピートランクの概念が導入される。通常、端末のリピートランクは、端末のタイプによって異なるか、または現在の適用シナリオ（application scenario）によって異なる。具体的には、例えば、同じ適用シナリオにおけるＭＴＣ端末と通常端末は、異なるリピートランクに対応する。異なる適用シナリオにおける同じタイプの端末のリピートランクは、セルの中央エリア内の１つのＭＴＣ端末と、セルのエッジ領域内の別のＭＴＣ端末とは、異なる適用シナリオに起因して異なるリピートランクに対応する。
【００４２】
ステップＳ２３０で決定された送信パラメータは、ランダムアクセス応答データパケットのパケット長を含むことができ、パケット長は、その中に含まれるビット数である。送信パラメータは、ランダムアクセス応答データパケットが送信される回数、さらにランダムアクセス応答データパケットが送信される信号強度などをさらに含むことができ、基地局は、送信パラメータが決定された後に、ステップＳ２４０において、送信パラメータに基づいてランダムアクセス応答データパケットを送信する。
【００４３】
明らかに、本開示の実施形態における情報処理方法においては、ランダムアクセス応答データパケットを送信するための送信パラメータを決定するために、リピートランクの概念が導入されている。このため、基地局は、異なるタイプの端末または異なる適用シナリオにおける端末の送信パラメータを設定することができる。これにより、現在の受信能力が弱い端末は、ランダムアクセス応答データパケットを正確に受信することができ、現在の受信能力の強い端末は、ランダムアクセス応答データパケットを繰り返し受信する必要がない。従って、ランダムアクセス応答データパケットが比較的高速に正確に受信されることを保証しつつ、繰り返し送信が低減され、リソースの利用が改善され、また現在の受信能力が比較的強い一部の端末によって消費される電力消費は、繰り返し受信のような動作の減少に起因して削減される。
【００４４】
第２の方法の実施形態
図２に示すような本実施形態では、図１に示すように、ステップ２３０は、ステップＳ２３１およびステップＳ２３２をさらに備える。
【００４５】
ステップＳ２３１：リピートランクに基づいて、各端末のランダムアクセス無線ネットワークの一時的な識別子（random access radio network temporary identity）を決定する。異なるリピートランクは、異なるランダムアクセス無線ネットワークの一時的な識別子に対応する。
【００４６】
ステップＳ２３２：ランダムアクセス無線ネットワークの一時的な識別子に基づいて、同じランダムアクセス応答データパケットにおいて多重化された端末数およびランダムアクセス応答データパケットのパケット長を決定する。
【００４７】
ランダムアクセス無線ネットワークの一時的な識別子の略語はＲＡ−ＲＮＴＩである。
ＲＡ−ＲＮＴＩは、基地局がパケット長に基づいてランダムアクセス応答データパケットを生成してそのパケットを端末に送信する場合に、ランダムアクセス応答データパケットのパケット長を決定するように用いられ、端末はそれ自身のリピートランクに基づいてＲＡ−ＲＮＴＩを決定し、最後にランダムアクセス応答を迅速に復号化する。ＲＡ−ＲＮＴＩは、ランダムアクセス応答データパケットおよび／またはランダムアクセス応答データパケットの制御情報などをスクランブル（ｓｃｒａｍｂｌｅ）するように用いられる。
【００４８】
この実施形態に記載された情報処理方法は、明らかに、異なるタイプの端末および異なる適用シナリオにおける端末に対するランダムアクセス応答データパケットの送信を区別することに加えて、前の実施形態に基づくさらなる改良であり、また容易な具体化の利点を有する。
【００４９】
第３の方法の実施形態
図２に示される本開示の第２の実施形態に基づいて、
ステップＳ２３１は、
各端末によって送信されて受信されたランダムアクセス要求の時間・周波数リソース位置を決定すること、
時間・周波数リソース位置およびリピートランクに基づいて、各端末のランダムアクセス無線ネットワークの一時的な識別子を決定すること、を備え、異なる時間・周波数リソース位置または異なるリピートランクは、異なるランダムアクセス無線ネットワークの一時的な識別子に対応する。
【００５０】
この実施形態では、ランダムアクセス無線ネットワークの一時的な識別子を決定するとき、その識別子は、ランダムアクセス要求において送信される時間領域リソース位置に基づくだけでなく、決定するためにリピートランクを導入する。時間領域リソース位置は、時間領域の時間インデックスまたは周波数領域の周波数インデックスに対応し得る。
【００５１】
具体的には、例えば、RA-RNTI=A+B*t_id+C*f_id+D*k_idの方程式に基づいて、各端末のＲＡ−ＲＮＴＩが決定され、Ａ、Ｂ、Ｃはすべて定数であり、t_idは、各端末がランダムアクセス要求を送信するサブフレーム番号（subframe number）であり、f_idは、各端末がランダムアクセス要求を送信する周波数インデックスであり、k_idはリピートランクであり、Ｂは、好ましくはＡ以上の最大値をとり、Ｃは、好ましくはA+B*t_id以上の最大値をとり、Ｃの最小値は、好ましくはA+B*t_id+C*f_id以上の最大値をとる。
【００５２】
通信方式は、少なくとも時分割多重ＴＤＤ及び周波数分割多重ＦＤＤを含む。以下、時分割多重と周波数分割多重を採用する場合のＡ、Ｂ、Ｃ、Ｄの各々の具体例を示す。
RA-RNTI=1+t_id+10*k_id     [FDD]
RA-RNTI=1+t_id+10*f_id+60*k_id     [TDD]
t_idは、ランダムアクセスシーケンスプリアンブルのランダムアクセスＰＲＡＣＨが端末によって送信される第１のサブフレーム番号(0≦t_id<10)であり、f_idは、このサブフレーム(0≦f_id<6)で送信されたプリアンブルのＰＲＡＣＨの周波数領域のインデックスである。ＦＤＤの場合、f_idはゼロとして固定される。k_idは、端末が対応するリピートランクである。例えば、ロングタームエボリューションＬＴＥシステムでは、端末が対応するリピートランクは４つのランクに分割され、リピートランクの値は0≦k<4の範囲である。
【００５３】
この実施形態は、特に、リピートランクに基づいてＲＡ−ＲＮＴＩを決定する方法を提供する。本実施形態は、容易な具体化、規則的な具体化に対する互換性を有するとともに、第１の実施形態で説明された利点も有する。
【００５４】
第４の方法の実施形態
本開示の第２の実施形態に基づいて、この実施形態では、
ステップＳ２３２は、
ランダムアクセス無線ネットワークの一時的な識別子に基づいて、同一のランダムアクセス無線ネットワークの一時的な識別子を有する端末の端末数（terminal number）Ｓを決定すること、
端末数Ｓに基づいて、ランダムアクセス応答データパケットのパケット長を決定すること、を含む。
【００５５】
ランダムアクセス応答データパケットのパケット長を決定することは、少なくとも第１および第２の方法を含む。
第１の方法：
ランダムアクセス応答データパケットのパケット長は、Ｓに基づいて直接的に決定され、ランダムアクセス応答データパケットのパケット長とＳは、特定の関数関係（function relationship）を満たす。具体的には、例えば、Ｓが６に等しい場合、ランダムアクセス応答データパケットのパケット長は、Ｆ＊６＋データパケットヘッドの長さに等しい。Ｆは各ランダム応答が占めるビット数である。
【００５６】
第２の方法：
端末数Ｓに基づいて、ランダムアクセス応答データパケットのパケット長を決定することは、
端末数Ｓを、多重化端末数（multiplexed terminal number）の有限集合Ｔ内のうちの多重化端末数と比較して比較結果を生成すること、
比較結果に基づいて、ランダムアクセス応答のパケット長である、多重化端末数Ｍに対応するパケット長を選択すること、を含み、
Ｍは、Ｔ以内のＳ以上であり且つＳとの最小の差を有する多重化端末数である。
【００５７】
通常、ランダムアクセス応答データパケットの数および／または基地局によって送信される情報量を節約する目的で、同じＲＡ−ＲＮＴＩを有する端末は、同じランダムアクセス応答データパケットにおいて多重化される。リピートランクの導入により、異なるタイプの端末または異なる適用シナリオにおける端末が、異なるランダムアクセス応答データパケットにおいて多重化される。したがって、ＭＴＣ端末と通常端末が同じランダムアクセス応答データパケットを共有しているため、ＭＴＣ端末の受信品質が悪く且つ通常端末が繰り返し受信するという問題が回避される。これは、異なる適用シナリオの端末にも適用される。
【００５８】
しかし、本実施形態では、ランダムアクセス応答データパケットを順次復号化する端末を支援にするために、多重化端末数の有限集合Ｔが導入され、この集合において、同じランダムアクセス応答データパケットにおいて多重化端末の多重化端末数Ｍが示され、通常、Ｔは端末に対して知られている。
【００５９】
具体的な例を以下に示す。集合Ｔは、Ｔ＝｛１，３，５，７，９｝などの限られた数の多重化ユーザを含み、同じＲＡ−ＲＮＴＩの端末がグループに分割され、その多重化端末Ｓは、Ｔと一致する端末数に従って、Ｔ以内のＳ以上である最小要素と一致し、ランダムアクセス応答は、１つのランダムアクセス応答ＭＡＣデータパケット（ＲＡＲ  ＭＡＣ  ＰＤＵ）において多重化されると仮定する。例えば、多重化端末数は６であり、集合内の要素７と一致して、ＰＤＵが７つの端末を多重化するパケット長に従ってパッケージ化される。
【００６０】
各ランダムアクセス応答ＲＡＲは、４８ビットの長さを有し、ランダムアクセス応答のデータパケットのヘッド長は８ビットであり、Ｓが６の場合、対応するランダムアクセス応答データパケットのパケット長は３４４ビットであると仮定する。
【００６１】
端末間ＲＡＲ多重化（inter-terminal RAR multiplexing）が採用されない場合、すなわち各ランダムアクセス応答データパケットが１つの端末のランダムアクセス応答ＲＡＲを有する場合、集合Ｔ＝｛１｝である。
【００６２】
端末間ＲＡＲ多重化が採用される場合、制御チャネルを介してｅＮＢと端末との間でユーザ数（user number）Ｓが送信される。すなわち、ＲＡＲの送信は物理下りリンク制御チャネルＰＤＣＣＨによってスケジューリングされ、次いで集合Ｔ＝｛Ｓ｝となる。ここで説明した方法は、上述の第２の方法に対応する。
【００６３】
端末間ＲＡＲの多重化数が制御チャネルを介して送信されない場合、集合Ｔは有限集合として定義され、集合内の最大要素は、ランダムアクセス応答データパケットの最大送信ブロックサイズに対応する多重化された端末数より小さくなければならない。
【００６４】
この実施形態は、特に、Ｓに基づいてランダムアクセス応答データパケットのパケット長を決定するいくつかの特定の方法を提供し、具体化の容易さの利点を有し、通信の両側は、パケット長と数Ｓとの関係を理解する同じ具体化手段を有する。
【００６５】
第２の方法がランダムアクセス応答データパケットのパケット長を決定するために採用される場合、Ｓが、決定されたＭよりも小さいという問題があり得る。この場合、この実施形態に対する更なる改良として、方法は、ＳがＭより小さい場合、ランダムアクセス応答データパケットの（Ｓ＋１）番目からＭ番目のランダムアクセス応答に指定情報を書き込むことを含む。
【００６６】
ここで、指定情報は、全て０または１であってもよいし、または指定された順番に０と１を並べることにより生成されたシーケンスであってもよい。具体的には、たとえば、多重化端末数Ｎが集合Ｔ内で一致する要素よりも小さい場合、０が多重化する際にランダムアクセス応答データパケット内に埋め込まれて、Ｔ内で要素と一致する送信ブロックサイズに達する。多重化端末数Ｓが集合Ｔの最大要素より大きい場合、集合Ｔ内の最大要素の量を有する端末ＲＡＲが選択されて多重化され、他方の端末アクセスは破棄される。このように、情報を復号化する場合に、端末が指定情報を復号化するとき、復号化は正確であり且つ指定情報はランダムアクセス応答ではないことを判定可能である。
【００６７】
図３は、ランダムアクセス応答データパケットの一例を示す。図３に示すように、ランダム応答データパケットとして機能するプロトコルデータユニットＭＡＣ  ＰＤＵは、ＭＡＣヘッダと、Ｎ個のランダムアクセス応答ＲＡＲと、を含み、「０」がＮ個のランダムアクセス応答ＲＡＲの後ろの残りのビットに指定情報として埋め込まれる。ランダムアクセス応答データと指定情報「０」は、ＭＡＣロード（load）としてランダムアクセス応答データパケットで運ばれる。
【００６８】
第５の方法の実施形態
本開示の第２の実施形態に基づいて、この実施形態では、ステップＳ２２０は、
ランダムアクセス要求の送信パラメータおよび／またはランダムアクセス要求に含まれるランダムアクセス情報に基づいて、各端末のリピートランクを決定すること、を備える。
【００６９】
ここでのランダムアクセス送信パラメータは、ランダムアクセス要求が送信される時間・周波数リソース位置とランダムアクセス要求が送信された回数などを含み、ランダムアクセス情報は、ランダムアクセスシーケンスなどを含む。ランダムアクセスシーケンスに基づいてリピートランクを決定する場合、通常、ランダムアクセスシーケンスとリピートランクは特定のマッピング関係を有する。ｅＮＢのような基地局は、ランダムアクセス要求を受信し、ランダムアクセスシーケンスを決定し、その後、マッピング関係に基づいてリピートランクを決定する。
【００７０】
さらに、端末自身のリピートランクは、ランダムアクセス要求の指定された情報ビットを介して示すこともできる。このようにして、基地局はランダムアクセス要求を復号化することによってリピートランクを決定することができる。
【００７１】
特定の実施形態では、基地局は、端末の通信識別子（communication identification）に基づいてリピートランクを決定することもできる。上記の例に限らず、リピートランクを決定する方法は多数ある。
【００７２】
すなわち、この実施形態は、端末のリピートランクを決定するいくつかの方法を提供し、ランダムアクセス要求、端末の識別、または具体化を単純化する他の方法によって達成することができる。
【００７３】
図４は、上記方法の実施形態に関連して基地局側に適用される具体化例であるが、この例の方法は、
基地局が、リピートランクを決定し、ランダムアクセスシーケンスであるプリアンブルを受信し、受信したプリアンブルとリピートランクに基づいてＲＡ−ＲＮＴＩを算出し、ＲＡ−ＲＮＴＩのグループに分割された端末は同じランダムアクセス応答データパケットにおいて多重化されることを備える。ＲＡＲ制御情報は、物理下りリンク制御チャネルであるＰＤＣＣＨを通じて送信される。ＲＡＲ制御情報は、ランダムアクセス応答データパケットの時間領域リソース、変調方式、ランダムアクセス応答データパケットのパケット長などのパラメータを含むことができる。最後に、ランダムアクセス応答ＲＡＲが送信される。
【００７４】
特定の実施形態では、１つのランダムアクセス応答データパケットは、２つ以上のＲＡＲを含むことができる。基地局は、対応するランダムアクセス応答がＲＡＲ制御情報、すなわち先行する下りリンク制御情報を介して存在する時間領域リソースのような情報を各端末に通知することができる。
【００７５】
第６の方法の実施形態
図５に示すように、本実施形態は、第１の端末に適用される情報処理方法は、以下のステップＳ３１０〜ステップＳ３４０を備える。
【００７６】
ステップＳ３１０：ランダムアクセス要求を基地局に送信する。
ステップＳ３２０：第１の端末のリピートランクを決定する。
ステップＳ３３０：リピートランクに基づいて、デスクランブリングシーケンス（descrambling sequence）を生成する。
【００７７】
ステップＳ３４０：デスクランブリングシーケンスに基づいて、基地局によって送信されたランダムアクセス応答データパケット内のランダムアクセス応答を受信し、ランダムアクセス応答データパケットは、少なくとも１つのランダムアクセス応答を含む。
【００７８】
第１の端末は、様々な携帯電話、タブレットコンピュータなどのような通信機能を有する通信デバイスであってもよい。ステップ３１０において、ランダムアクセスを要求するためにランダムアクセス要求が基地局に送信される。
【００７９】
一実施形態では、ステップＳ３２０およびステップＳ３１０は特定の優先順位関係を持たず、ランダムアクセス要求を送信する前または後にリピートランクを決定することができる。別の実施形態では、第１の端末は、最初に第１の端末のリピートランクを決定し、その後、決定されたリピートランクに基づいてランダムアクセス要求を送信することができ、すなわちステップＳ３２０が最初に実行され、ステップＳ３２０は、取得されたリピートランクに基づいて実行される。この方法では、端末は、異なるリピートランクに基づいて、ランダムアクセス要求において異なるランダムアクセスシーケンスを使用することが可能であり、基地局は、受信したランダムアクセスシーケンスに基づいて直接的に端末のリピートランクを取得する。
【００８０】
ステップＳ３３０において、デスクランブリングシーケンスが、リピートランクに基づいて決定され、続くステップＳ３４０において、デスクランブリングシーケンスが、基地局によって送信された情報をデスクランブルするように用いられて、基地局によって第１の端末に送信されたランダムアクセス応答を取得する。
【００８１】
本実施形態で説明された情報処理方法は、ランダムアクセス応答を取得する際のリピートランクの概念を導入したものであり、第１の実施形態〜第５の実施形態で示した基地局側に適用された方法に対応し、ランダムアクセス応答の正しい受信率を確保しつつ、受信能力の高い端末の通信リソースオーバヘッドや消費電力を低減するという目的を達成することができる。
【００８２】
第７の方法の実施形態
さらに、ステップＳ３３０は、
リピートランクに基づいて、第１の端末のランダムアクセス無線ネットワークの一時的な識別子を決定すること、
ランダムアクセス無線ネットワークの一時的な識別子に基づいて、デスクランブリングシーケンスを生成すること、を含む。
【００８３】
ランダムアクセス無線ネットワークの一時的な識別子ＲＡ−ＲＮＴＩの機能および効果を説明している。ランダムアクセス無線ネットワークの一時的な識別子は、ＲＡ−ＲＮＴＩを採用することによってスクランブルされたデータをデスクランブルするためのデスクランブリングシーケンスとして用いられる。具体的には、例えば、ランダムアクセス応答データパケット及び／又はランダムアクセス応答データパケットの制御情報等をデスクランブルすることができる。
【００８４】
この実施形態の方法は、特に、前述した実施形態を踏まえて、リピートランクに基づいてデスクランブリングシーケンスを決定する方法を提供し、また具体化が容易であるという利点を有する。
【００８５】
第８の方法の実施形態
さらに、リピートランクに基づいて、第１の端末のランダムアクセス無線ネットワークの一時的な識別子を決定するステップは、
ランダムアクセス要求が送信される時間・周波数リソース位置を決定すること、
時間・周波数リソース位置およびリピートランクに基づいて、各端末のランダムアクセス無線ネットワークの一時的な識別子を決定すること、を含み、異なる時間・周波数リソース位置または異なるリピートランクは、異なるランダムアクセス無線ネットワークの一時的な識別子に対応する。
【００８６】
この実施形態で説明されたリピートランクは、ランダムアクセス要求によって送信された時間領域リソース位置に関連し、これにより、ステップＳ３２０は、ランダムアクセス要求の送信パラメータを決定した後に決定し、つまり、ランダムアクセス要求を送信した後に決定する。
【００８７】
特定の決定方法は、RA-RNTI=A+B*t_id+C*f_id+D*k_idを採用することによって決定され得る。第３の方法の実施形態は、この方程式における各パラメータの説明について参考とされ、ここでは詳細は繰り返さずに省略する。
【００８８】
端末は、それ自体で、自身のリピートランクと、ランダムアクセス要求が送信される時間・周波数リソース位置に基づいてＲＡ−ＲＮＴＩを単に決定することができる。
第９の方法の実施形態
図５に示すように、本実施形態は、第１の端末に適用される情報処理方法を提供し、該方法は、以下のステップＳ３１０〜ステップＳ３４０を備える。
【００８９】
ステップＳ３１０：ランダムアクセス要求を基地局に送信する。
ステップＳ３２０：第１の端末のリピートランクを決定する。
ステップＳ３３０：リピートランクに基づいて、デスクランブリングシーケンスを生成する。
【００９０】
ステップＳ３４０：デスクランブリングシーケンスに基づいて、基地局によって送信されたランダムアクセス応答データパケット内のランダムアクセス応答を受信し、ランダムアクセス応答データパケットは、少なくとも１つのランダムアクセス応答を含む。
【００９１】
ステップＳ３３０は、
リピートランクに基づいて、前記第１の端末のランダムアクセス無線ネットワークの一時的な識別子を決定すること、
ランダムアクセス無線ネットワークの一時的な識別子に基づいて、デスクランブリングシーケンスを生成すること、を含む。
【００９２】
ステップＳ３４０は、
デスクランブリングシーケンスに基づいて、下りリンク制御情報をデスクランブルすること、
下りリンク制御情報に基づいて、基地局によって送信されたランダムアクセス応答データパケットの受信パラメータを取得することであって、受信パラメータは、時間・周波数リソースおよび変調符号化ストラテジのうちの少なくとも１つを含む、取得すること、
受信パラメータに基づいて、ランダムアクセス応答データパケットを受信し、ランダムアクセス応答データパケットに含まれるランダムアクセス応答を取得することを含む。
【００９３】
下りリンク制御情報は、基地局によって送信された物理下りリンク制御情報ＰＤＣＣＨを含み得る。下りリンク制御情報は、少なくとも時間・周波数リソースと変調符号化方式とを含み、この方法では、下りリンク制御情報を受信した後、端末は、送信パラメータにおける時間・周波数リソースに基づいて、ランダムアクセス応答データパケットを受信するタイミングおよび受信周波数帯を決定し、受信したランダムアクセス応答データパケットを、変調復号化スキームに基づいてランダムアクセス応答データパケットを復号化し、第１の端末に対するランダムアクセス応答データパケットに含まれているランダムアクセス応答を取得する。
【００９４】
本実施形態の情報処理方法では、基地局がＲＡ−ＲＮＴＩを採用してランダムアクセス応答データパケットの下りリンク制御情報をスクランブルし、この方法では、基地局は、ＲＡ−ＲＮＴＩを用いて下りリンク制御情報をデスクランブルし、これにより、ランダムアクセス応答を取得し、容易な具体化および従来技術との高い互換性という利点を有する。
【００９５】
第１０の方法の実施形態
ステップＳ３３０は、
リピートランクに基づいて、第１の端末のランダムアクセス無線ネットワークの一時的な識別子を決定すること、
ランダムアクセス無線ネットワークの一時的識別子に基づいて、デスクランブリングシーケンスを生成すること、を含む。
【００９６】
ステップＳ３４０は、
デスクランブリングシーケンスに基づいて、下りリンク制御情報をデスクランブルすること、
下りリンク制御情報に基づいて、基地局によって送信されたランダムアクセス応答データパケットの受信パラメータを取得することであって、受信パラメータは、時間・周波数リソースおよび変調符号化ストラテジのうちの少なくとも１つを含む、取得すること、
受信パラメータに基づいて、ランダムアクセス応答データパケットを受信し、ランダムアクセス応答データパケットに含まれるランダムアクセス応答を取得すること、を含む。
【００９７】
下りリンク制御情報は、さらに、ランダムアクセス応答データパケットの多重化端末数を含み、
ランダムアクセス応答データパケットに含まれるランダムアクセス応答を取得すること、
ランダムアクセス応答データパケットの多重化端末数に基づいて、ランダムアクセス応答データパケットを復号化し、ランダムアクセス応答を取得する。
【００９８】
この実施形態では、下りリンク制御情報は、同じアクセスリセス応答データパケットに多重化端末数Ｓをさらに含み、端末がＳを知っている場合、端末は、ランダムアクセス応答データパケットの元のパケット長を知ることになる。ランダムアクセス応答データパケットを順次復号化する際に、簡単かつ迅速に復号化することができ、容易な具体化という利点を有する。
【００９９】
具体的な実施態様では、本実施形態は、ランダムアクセス応答データパケットのパケット長を決定するために、前述した多重化端末数の有限集合Ｔを採用する。つまり、下りリンク制御情報においてＳがなくなり、基地局は、多重化端末数の有限集合Ｔに基づいて、ランダムアクセス応答データパケットを受信したときにランダムアクセス応答データパケットの可能な元のパケット長を決定し、各可能な元のパケット長に基づいて、１回または複数回、復号化を試みて、ランダムアクセス応答を復号化して取得する。
【０１００】
第１１の方法の実施形態
ステップＳ３３０は、
リピートランクに基づいて、第１の端末のランダムアクセス無線ネットワークの一時的な識別子を決定すること、
ランダムアクセス無線ネットワークの一時的な識別子に基づいて、デスクランブリングシーケンスを生成することを含む。
【０１０１】
ステップＳ３４０は、
多重化端末数の有限集合Ｔ内の各多重端末数のパケット長およびデスクランブリングシーケンスに基づいて、ランダムアクセス応答データパケットを復号化し受け取ること、
正確に復号化された場合に、基地局によって送信されたランダムアクセス応答データパケットに含まれるランダムアクセス応答を取得すること、を含む。
【０１０２】
多重化端末数の有限集合Ｔに関する説明に関しては、基地局側に適用された前述した方法の実施形態が参照され、ここでは詳細を繰り返さない。要約すると、第１の端末は、受信されたランダムアクセス応答データパケットの可能なパケット長の値を知るように、多重化端末数の有限集合Ｔを予測する。この方法では、スクランブリングシーケンスと組み合わせて、ランダムアクセス応答データパケットを少なくとも１回復号化して、基地局によって第１の端末に送信されたランダムアクセス応答データパケットを取得することができる。
【０１０３】
従って、本実施形態において説明された方法は、多重化端末数Ｓを示すために基地局に下りリンク制御情報を送信させる必要がなく、基地局と端末との間の相互作用の情報量を削減することができ、送信された情報を受信して消費される端末の消費電力を削減することができる。
【０１０４】
特定の実施例では、ランダムアクセス応答データパケットは、ランダムアクセス応答データパケットをデスクランブルするときに端末がＲＡ−ＲＮＴＩではないように、他のスクランブリングシーケンスでスクランブリングされ得る。しかし、基地局がＲＡ−ＲＮＴＩを採用してスクランブルする場合、端末は、同じＲＡ−ＲＮＴＩを採用してスクランブルして、スクランブルおよびデスクランブルのシーケンスの使用を低減し、シーケンスリソースを節約することができる。
【０１０５】
第１２の方法の実施形態
ステップＳ３２０は、
チャネル測定を実行してチャネル測定結果を生成すること、
チャネル測定結果に基づいて、リピートランクを決定すること、を含む。
【０１０６】
リピートランクは、端末および／または基地局内で静的に設定されてもよく、動的に設定されてもよい。端末が異なる通信シナリオにあるとき、基地局によって送信される信号を受信するその能力は、端末が常にランダムアクセス応答を正確に受信し復号化することを保証にするために、動的決定の方法が本実施形態において採用されて、リピートランクを決定する。
【０１０７】
したがって、本実施形態では、第１の端末は、チャネル測定を実行し、例えば、基地局によって送信されたディスカバリ信号のような送信信号に基づいてチャネル測定を実行し、チャネル測定結果を生成する。チャネル測定結果は、第１の端末と現在の基地局との間でなされた通信のチャネル品質を表し、これにより、基地局によって送信された複数の信号に対する第１の端末の受信能力を反映することができる。この場合、第１の端末は、リピートランクを動的に決定し、このリピートランクに基づいて決定されたランダムアクセス応答データパケットの送信パラメータは、第１の端末の正確な受信率を保証することができる。
【０１０８】
第１３の方法の実施形態
ステップＳ３１０は、
リピートランクに基づいて、ランダムアクセス要求の送信パラメータおよび／またはランダムアクセス情報を決定することを含む。
【０１０９】
この実施形態では、リピートランクは、ランダムアクセスリクエストの送信パラメータとランダムアクセス情報との対応があり、例えば、リピートランクがチャネル測定結果に基づいて決定され、ランダムアクセスリクエストの送信パラメータは、リピートランクに基づいて決定され、この方法では、ランダムアクセス要求を受信した後、基地局は、ランダムアクセス要求の送信パラメータおよび／またはランダムアクセス情報の情報内容に基づいて、第１の端末のリピートランクを決定し、これにより、基地局に第１の端末のリピートランクを通知する方法を実現し、この方法では、基地局が第１の端末のリピートランクを取得することを容易にし、基地局の動作を簡略化することができる。
【０１１０】
図６に示す第１の端末側に適用された前述した情報処理方法に基づいて、特定の例が提供され、この例では、第１の端末が自身のリピートランクを決定し、リピートランクに基づいてＲＡ−ＲＮＴＩを計算し、ＲＡ−ＲＡＴＩに基づいてＰＤＣＣＨをブラインド検出（blind detection）し、ＰＤＣＣＨに関する検出結果に基づいてＲＡＲを検出する。ＰＤＣＣＨは、第１の端末の変調符号化方式及びランダムアクセス応答データパケットが送信される時間・周波数リソースを通知するためのものであり、ＰＤＣＣＨによって通知されたＳ又はＴに基づいてＲＡＲが検出され得る。
【０１１１】
第１の装置の実施形態
図７に示すように、この実施形態は、基地局を提供し、基地局は、
各端末によって送信されたランダムアクセス要求を受信する第１の受信部４１０と、
各端末のリピートランクを決定する第１の決定部４２０と、
リピートランクに基づいて、各端末へのランダムアクセス応答データパケットの送信パラメータを決定する第２の決定部４３０と、
ランダムアクセス応答データパケットの送信パラメータに基づいて、各端末にランダムアクセス応答データパケットを送信する第１の送信部４４０と、を備える。
【０１１２】
本実施形態の第１の受信部４１０及び第１の送信部４４０は、基地局と端末にＸ２インターフェースのような通信インターフェースを実行させる無線インターフェースであり、特定のハードウェア構造は、送受信アンテナなどを含み得る。
【０１１３】
第１の決定部４２０および第２の決定部４３０は、基地局内の情報処理能力を有するプロセッサまたは処理チップに対応し得る。プロセッサまたは処理チップは、特定のコードを実行することにより、第１の決定部４２０および第２の決定部４３０の機能を実現する。プロセッサは、中央プロセスＣＰＵ、マイクロプロセッサＭＣＵ、デジタル信号プロセッサＤＳＰ、またはプログラマブルアレイＰＬＣ、および他の構造であってもよい。
【０１１４】
この実施形態におけるリピートランクおよび送信パラメータなどに関する説明については、方法の実施形態が参照され、ここでは詳細を繰り返さない。
つまり、本実施形態で説明した基地局を用いてランダムアクセス応答データパケットを送信する場合には、各端末の正しい受信率が保証される一方、受信能力の高い端末のリソース消費や消費電力のオーバーヘッドが低減される。
【０１１５】
この実施形態で説明されたリピートランクは、基地局によって送信される信号に対する端末の現在の受信能力を反映するために用いられ得る。例えば、端末の異なるタイプは一貫性のない受信能力を有し、リピートランクは異なる。基地局は、ｅＮＢなどのエボリューションタイプの基地局であってもよい。
【０１１６】
第２の装置の実施形態
第２の決定部４３０は、
リピートランクに基づいて、各端末のランダムアクセス無線ネットワークの一時的な識別子を決定する第１の決定モジュールであって、異なるリピートランクは、異なるランダムアクセス無線ネットワークの一時的な識別子に対応する、第１の決定モジュールと、
ランダムアクセス無線ネットワークの一時的識別子に基づいて、同じランダムアクセスリセス応答データパケット（same random access recess response data packet）における多重化端末数とランダムアクセス応答データパケットのパケット長を決定する第２の決定モジュールと、を含む。
【０１１７】
この実施形態の第２の決定部４３０は、ＲＡ−ＲＮＴＩを決定する第１の部分と、ランダムアクセス応答データパケットのパケット長を決定する第２の部分との２つの部分に分割される。２つの部分は、情報処理機能を有する異なるプロセッサに対応し、単一のプロセッサに対応するように統合されてもよいが、プロセッサによって使用される複数のコードは一貫性がなく、２つの部分が、該複数のコードに対応するように統合される。
【０１１８】
第１の決定モジュールは、計算機機能などを有するコンピュータまたはプロセッサのような構造にさらに対応することができる。
本実施形態の基地局は、前述した実施形態の基地局に基づいて、第２の決定部４３０の具体的な構成をさらに規定し、構造が簡単であるという利点を有し、第２の方法の実施形態において説明された情報処理方法を具体化するように用いられ得る。
【０１１９】
第３の装置の実施形態
第２の決定部４３０は、
リピートランクに基づいて、各端末のランダムアクセス無線ネットワークの一時的な識別子を決定する第１の決定モジュールであって、異なるリピートランクは、異なるランダムアクセス無線ネットワークの一時的な識別子に対応する、第１の決定モジュールと、
ランダムアクセス無線ネットワークの一時的な識別子に基づいて、同じアクセスリセス応答データパケットにおける多重化端末数とランダムアクセス応答データパケットのパケット長を決定する第２の決定モジュールと、を含む。
【０１２０】
第１の決定モジュールは、具体的には、各端末によって送信されて受信されたランダムアクセス要求の時間・周波数リソース位置を決定し、時間・周波数リソース位置およびリピートランクに基づいて、各端末のランダムアクセス無線ネットワークの一時的な識別子を決定する。異なる時間・周波数リソース位置または異なるリピートランクは、異なるランダムアクセス無線ネットワークの一時的な識別子に対応する。
【０１２１】
この実施形態は、特に第１の決定モジュールの特定の構造を規定するが、前述した方法の実施形態で述べた方式がＲＡ−ＲＮＴＩを計算するために採用され、これにより、第１の決定モジュールの特定の構造は、計算機能を有するコンピュータまたはプロセッサであり得る。
【０１２２】
つまり、本実施形態で説明された基地局は、第３の方法の実施形態の情報処理方法を具体化するハードウェア構成であり、構成が簡単であり具体化が容易であるという利点を有し、第１の実施形態において説明された利点も有する。
【０１２３】
第４の装置の実施形態
第２の決定部４３０は、
リピートランクに基づいて、各端末のランダムアクセス無線ネットワークの一時的な識別子を決定する第１の決定モジュールであって、リピートランクは、異なるランダムアクセス無線ネットワークの一時的な識別子に対応する、第１の決定モジュールと、
ランダムアクセス無線ネットワークの一時的な識別子に基づいて、同じアクセスリセス応答データパケットにおける多重化端末数とランダムアクセス応答データパケットのパケット長を決定する第２の決定モジュールと、を含む。
【０１２４】
第２の決定モジュールは、具体的には、ランダムアクセス無線ネットワークの一時的な識別子に基づいて、同じランダムアクセス無線ネットワークの一時的な識別子を有する複数の端末の端末数Ｓを決定し、同じランダムアクセス無線ネットワークの一時的な識別子を有する複数の端末は、同じランダムアクセス応答データパケットにおいて多重化され、端末数Ｓに基づいて、ランダムアクセス応答データパケットのパケット長を決定する。
【０１２５】
この実施形態の第２の決定モジュールは、具体的には、ＲＡ−ＲＮＴＩに基づいて同じランダムアクセス応答データパケットにおいて多重化端末数Ｓを決定し、Ｓに基づいてランダムアクセス応答データパケットのパケット長を決定する。
【０１２６】
第２の決定モジュールには、少なくとも以下の第１および第２の構成を含む様々な構造がある。
第１の構成：第２の決定モジュールは、具体的には、端末数Ｓと、多重化端末数の有限集合Ｔ内の多重化端末数と比較し、比較結果を生成し、比較結果に基づいて、ランダムアクセス応答データパケットのパケット長として多重化端末数Ｍとの対応を有するパケット長を決定し、Ｍは、Ｔ以内のＳ以上であり且つＳとの最小の差を有する多重化端末数である。
【０１２７】
第２の構成：第２の決定モジュールは、この場合にＴを使用することなく、Ｓとパケット長との間の関数関係に基づいて、ランダムアクセス応答データパケットのパケット長を直接的に決定する。
【０１２８】
この実施形態は、第２の決定モジュールがランダムアクセス応答データパケットのパケット長を決定する２つの構成を最初に提供し、単純な構成と容易な具体化の利点を有し、通信の両側が、パケット長と数Ｓとの間の関係を理解する同じ具体化方法を有する。
【０１２９】
この実施形態における基地局のさらなる改善として、基地局は、
ＳがＭより小さい場合、ランダムアクセス応答データパケットの（Ｓ＋１）番目からＭ番目のランダムアクセス応答に指定情報を書き込む。
【０１３０】
書込みユニットは、ランダムアクセス応答データパケットを生成するために使用され、この実施形態では、ＳがＭ未満の場合、指定情報が、ランダムアクセス応答データパケットの（Ｓ＋１）番目からＭ番目のランダムアクセス応答に書き込まれる。指定情報は、全て「０」のシーケンス、全て「１」のシーケンス、または特定の順番等で「０」と「１」を並べることにより生成されたシーケンスでもよい。
【０１３１】
本実施形態で説明された基地局は、第４の方法の実施形態の情報処理方法を具体化する構成であり、各端末のランダムアクセス応答の正確な受信率を確保し、通信システム全体のリソース消費および端末の電力消費を削減することができる。
【０１３２】
第５の装置の実施形態
第１の決定部４２０は、具体的には、ランダムアクセス要求の送信パラメータおよび／またはランダムアクセス要求に含まれるランダムアクセス情報に基づいて、各端末のリピートランクを決定する。
【０１３３】
各端末のリピートランクを格納するデータベースに問い合わせることによってリピートランクを取得するように、リピートランクは静的に設定されてもよく、またリピートランクを、ランダムアクセス要求の送信パラメータおよびランダムアクセス情報のうちの少なくとも１つまたはその組み合わせに基づいて決定することができる。第１の決定部４２０でどのような方式が採用されたとしても、第１の決定部４２０の対応する構造が相違しているが、第１の決定部４２０は、ランダムアクセス要求の送信パラメータまたはランダムアクセス情報に基づいてクエリ機能を有するかまたはリピートランクを決定する機能を有するプロセッサを含み得る。
【０１３４】
つまり、本実施形態は、第５の方法の実施形態で説明した情報処理方法を具体化するためのハードウェアを提供するように用いられる第１の決定部４２０の具体的な構成を提供し、構造が簡単であり且つ具体化が容易であるという利点を有する。
【０１３５】
第６の装置の実施形態
図８に示すように、この実施形態は、第１の端末を提供し、該第１の端末は、
ランダムアクセス要求を基地局に送信する第２の送信部５１０と、
第１の端末のリピートランクを決定する第３の決定部５２０と、
リピートランクに基づいてデスクランブリングシーケンスを生成する生成部５３０と、
デスクランブリングシーケンスに基づいて、基地局によって送信されたランダムアクセス応答データパケット内のランダムアクセス応答を受信する受信ユニット５４０と、を備え、
ランダムアクセス応答データパケットは、少なくとも１つのランダムアクセス応答を含む。
【０１３６】
この実施形態における第１の端末は、基地局と通信可能な携帯電話、タブレットコンピュータ等の任意のタイプの通信端末であってもよい。
第２の送信部５１０は、第１の端末内の送信アンテナなどのような構造であり、基地局に信号を送信することができる。
【０１３７】
第２の決定部５２０、生成部５３０、及び取得部５４０の具体的な構成は、アプリケーションプロセッサＡＰ、中央処理装置ＣＰＵ、マイクロプロセッサＭＣＵ、デジタル信号プロセッサＤＳＰ、またはプログラマブルアレイＰＬＣ、および他の構造などの第１の端末に含まれる情報処理機能を有する多様なプロセッサを含むことができる。
【０１３８】
本実施形態において提供される端末は、第６の方法の実施形態で説明された情報処理方法を具体化するハードウェアを提供し、ランダムアクセスレスポンスの正確な受信率を確保するとともに、受信能力の高い端末の通信リソースのオーバーヘッドおよび消費電力を低減するという目的を達成する。
【０１３９】
第７の装置の実施形態
生成部５３０は、具体的には、リピートランクに基づいて、第１の端末のランダムアクセス無線ネットワークの一時的な識別子を決定し、ランダムアクセス無線ネットワークの一時的な識別子に基づいて、デスクランブリングシーケンスを生成する。
【０１４０】
本実施形態で説明される生成部５３０の具体的な構成は、情報処理機能を有する処理チップのようなプロセッサまたは演算構造を含み、リピートランクと、前述した方法の実施形態で説明されたようなＲＡ−ＲＮＴＩを計算するための関数関係とに基づいてＲＡ−ＲＮＴＩを算出するように用いられ得る。
【０１４１】
この実施形態の第１の端末は、前述の装置の実施形態に基づいて製造されたさらなる改良物であり、生成部の構造を具体化し、簡単な構造と容易な具体化の利点を有する。
第８の実施形態
さらに、生成部５３０は、特に、リピートランクに基づいて、第１の端末のランダムアクセス無線ネットワークの一時的な識別子を決定し、ランダムアクセス無線ネットワークの一時的な識別子に基づいて、デスクランブリングシーケンスを生成する。
【０１４２】
生成部５３０は、具体的には、ランダムアクセス要求が送信される時間・周波数リソース位置を決定し、時間・周波数リソース位置およびリピートランクに基づいて、各端末のランダムアクセス無線ネットワークの一時的な識別子を決定し、異なる時間・周波数リソース位置または異なるリピートランクは、異なるランダムアクセス無線ネットワークの一時的な識別子に対応する。
【０１４３】
前述の装置の実施形態に基づいて、この実施形態は、ＲＡ−ＲＮＴＩを決定する際に生成部５３０が考慮する入力パラメータを詳細に列挙しており、これらのパラメータの具体的な意味について前述の方法の実施形態が参照され、ここでは詳細は繰り返さない。つまり、本実施形態の第１の端末は、第８の方法実施形態で説明したような情報処理方法を具体化するように用いられ得る。
【０１４４】
第９の実施形態
取得部５１０は、具体的には、デスクランブリングシーケンスに基づいて下りリンク制御情報をデスクランブルし、下りリンク制御情報に基づいて、基地局によって送信されるランダムアクセス応答データパケットの受信パラメータを取得し、受信パラメータに基づいてランダムアクセス応答データパケットを受信し、ランダムアクセス応答データパケットに含まれるランダムアクセス応答を取得し、受信パラメータは、時間・周波数リソースおよび変調符号化ストラテジのうちの少なくとも１つを含む。
【０１４５】
取得部５１０の具体的な構成は、パーサー（parser）のような情報解析機能を有するチップ構造を含むことができるが、本実施形態では、取得部５１０は、デスクランブリングシーケンスを用いて下りリンク制御情報をデスクランブルして受信パラメータを取得し、受信パラメータに基づいてランダムアクセス応答データパケットを受信してランダムアクセス応答を取得する。
【０１４６】
本実施形態における第１の端末は、第９の方法の実施形態で説明した情報処理方法を実現するハードウェアとして具体化され、ランダムアクセス応答データパケットは正確に受信される比較的高い受信率を確保するとともに、繰り返し受信などの動作に起因する現在の受信能力が比較的強い端末が消費する電力消費が低減され、また構造が簡単であるという利点がある。
【０１４７】
第１０の装置の実施形態
取得部５１０は、具体的には、デスクランブリングシーケンスに基づいて下りリンク制御情報をデスクランブルし、下りリンク制御情報に基づいて、基地局が送信するランダムアクセス応答データパケットの受信パラメータを取得し、受信パラメータに基づいてランダムアクセス応答データパケットを受信し、ランダムアクセス応答データパケットに含まれるランダムアクセス応答を取得し、受信パラメータは、時間・周波数リソースおよび変調符号化ストラテジのうちの少なくとも１つを含む。
【０１４８】
下りリンク制御情報は、さらに、ランダムアクセス応答データパケットの多重化端末数を含む。取得部５１０は、具体的には、ランダムアクセス応答データパケットの多重化端末数に基づいて、ランダムアクセス応答データパケットを復号化してランダムアクセス応答を取得する。
【０１４９】
下りリンク制御情報は、取得部がランダムアクセス応答データパケットを復号化することを容易にするように、多重化端末数Ｓをさらに含む。この方法では、取得部５１０は、Ｓに基づいてランダムアクセス応答データパケットを復号化し、これにより、基地局によって迅速に第１の端末に送信されるランダムアクセス応答を取得する。
【０１５０】
本実施形態の第１の端末は、第１０の実施形態で説明した情報処理方法を実現するハードウェアとして具体化され、ランダムアクセス応答データパケットが正確に受信される比較的高い受信率を有するとともに、繰り返される送信が削減され、リソース利用が向上するという目的を達成することができ、繰り返し受信などの動作に起因する現在の受信能力が比較的強い端末が消費する電力消費が削減され、構造が簡単であるという利点を有する。
【０１５１】
第１１の装置の実施形態
取得部５１０は、具体的には、多重化端末数の有限集合Ｔにおける各多重端末数に対応するパケット長およびとデスクランブリングシーケンスに基づいて復号化して受信し、正確に復号化される場合に、基地局によって送信されたランダムアクセス応答データパケットに含まれるランダムアクセス応答を取得する。
【０１５２】
本実施形態では、取得部５１０は、Ｔが対応する多重化端末数に基づいて、ランダムアクセス応答データパケットのパケット長を決定し、基地局によって第１の端末に送信されるランダムアクセス応答が、おそらくは１回または複数回復号化することにより取得され、この取得部５１０は、前述の実施形態で説明した情報処理方法を実現する他の構成である。
【０１５３】
第１２の装置の実施形態
第３の決定部５２０は、具体的には、チャネル測定結果を生成するためにチャネル測定を実行し、チャネル測定結果に基づいて、リピートランクを決定する。
【０１５４】
リピートランクは、静的または動的に設定され得る。この実施形態では、リピートランクは動的に決定される。第３の決定部５２０は、受信アンテナ等のようなチャネル測定を実行可能な構成を有し、測定結果を介して受信信号強度等の情報を算出し、リピートランクを決定する。この実施形態では、第１の端末は、異なる適用シナリオにおける異なるリピートランクに対応し、このように、第１の端末の異なるシナリオでは、基地局がアクセスランダム応答データパケットを送信する送信パラメータは異なり、第１の端末がランダムアクセス応答データパケットを受信する受信品質をより良好なレベルに維持することができる。つまり、この実施形態では、第１の端末は、第１２の方法の実施形態のためのハードウェアを提供するように用いられ得る。
【０１５５】
第１３の装置の実施形態
第２の送信部５１０は、さらに、リピートランクに基づいて、ランダムアクセス要求の送信パラメータおよび／またはランダムアクセス情報を決定する。
【０１５６】
本実施形態における第２の送信部５１０の具体的な構成は、送信インターフェースの他に、送信パラメータ及び／又はランダムアクセス情報を決定するための情報処理装置を含み、これらの構成は、情報処理装置のために用いられ得る。第１の端末がこの実施形態の構成を採用する場合、ランダムアクセス要求を受信した後、基地局は、ランダムアクセス要求の送信パラメータおよび／またはランダムアクセス情報に基づいて第１の端末のリピートランクを直接的に決定する。
【０１５７】
本開示によって提供されるいくつかの実施形態において、明細書に開示された装置／機器および方法は、他の手法によって具体化されてもよいことを理解されたい。前述の装置／機器の実施形態は単なる例示であり、例えば、ユニット分割は論理的な機能分割であり、複数のユニットまたはコンポーネントは他のシステムに組み合わされるかまたは一体化さるか、並びに幾つかの機能が省略されるかまたは実行されないように、実際の具体化において他の分割手法があり得る。さらに、図示されたまたは説明されたそれぞれの構成要素間の結合、直接結合、または通信接続は、いくつかのインターフェースを介して達成されてもよく、装置またはユニット間の間接的な結合または通信接続は電気的、機械的または他の形態であってもよい。
【０１５８】
別個の部材として上述した複数のユニットは物理的に分離されていてもいなくてもよく、複数のユニットとして示された複数のコンポーネントは複数の物理ユニットであってもなくてもよい。それらは、１か所に配置されてもよいし、複数のネットワークセルに分散されてもよい。実際のニーズに応じて複数の実施形態の複数の解決策の目的を達成するために、複数のユニットの一部または全部を選択することが可能である。
【０１５９】
また、本発明の実施形態における各機能部は、１つの処理部に一体化されるかまたは１つのユニットとしてそれぞれ分離されていてもよく、また２つ以上のユニットが１つのユニットに統合されていてもよい。前述の統合ユニットは、ハードウェアの形態で、またはハードウェアとソフトウェア機能ユニットの形態で具体化されてもよい。
【０１６０】
当業者には理解されるように、上記の方法の実施形態の複数のステップの全部または一部は、プログラムを介して関連するハードウェアに指示することによって達成されてもよく、これらのプログラムは、コンピュータ可読記憶媒体に格納されてもよく、上記の方法の実施形態に含まれる複数のステップは、プログラムが実行されるときに実行される。上述した記憶媒体は、モバイル記憶装置、リードオンリーメモリ（ROM : Read Only Memory）、磁気ディスク、または光ディスクなどのプログラムコードを格納可能な各種の媒体を含む。
【０１６１】
代替的には、本開示の上記の統合された複数のユニットは、ソフトウェア機能モジュールの形態で具体化され、独立した製品として販売され使用されるときに、コンピュータ可読記憶媒体に格納されてもよい。そのような理解に基づいて、本開示の実施形態の技術的解決策の先行技術に寄与する要旨またはその一部分は、ソフトウェア製品の形態で反映されてもよく、コンピュータソフトウェア製品は記憶媒体に格納されてもよく、（パーソナルコンピュータ、サーバ、またはネットワークデバイスであり得る）コンピュータ装置に、本開示の様々な実施形態で説明した方法を完全にまたは部分的に実行させるためのいくつかの命令を含む。前述した記憶媒体は、モバイル記憶装置、リードオンリーメモリ（ＲＯＭ）、磁気ディスク、または光ディスクなどのプログラムコードを格納可能な各種メディアを含む。
【０１６２】
以上は本開示の特定の実施形態に過ぎないが、本開示の保護範囲はこれに限定され、本開示に開示される技術範囲内で当業者が容易に想到する変更または置き換えは、本開示の保護範囲に入る。従って、本開示の保護範囲は、特許請求の範囲に請求されているものに基づくべきである。
【図１】
2017533658.tif 000003
【図２】
2017533658.tif 000004
【図３】
2017533658.tif 000005
【図４】
2017533658.tif 000006
【図５】
2017533658.tif 000007
【図６】
2017533658.tif 000008
【図７】
2017533658.tif 000009
【図８】
2017533658.tif 000010
【国際調査報告】
2017533658.tif 000011
2017533658.tif 000012